(57)【要約】【目的】交番磁界により、小室内に封入した磁石ペレットを上下振動させて打撃的マッサージ効果を得る。【構成】円筒状小室内に封入した磁石ペレットを交番磁界に曝して往復振動させ、この円筒状小室底面への衝突を繰り返させて打撃的マッサージ効果を得る振動ユニットを、多数個配置してマッサージ器を構成する。【選択図】　図３
2004049830.tif 000002
【特許請求の範囲】
【請求項１】
磁石ペレットを内包する小室内で交播磁界によりこの磁石ペレットが往復振動する振動ユニットからなる打撃マッサージ器であって、人体各部の形状に沿って形成されたジャケットに振動ユニットを多数個配置したマッサージ器
【請求項２】
交播磁界発生電磁石と振動ユニットとが一体的である請求項１記載のマッサージ器
【請求項３】
振動ユニットが櫛状又はブラシ状に配置され、握り柄を有する請求項２記載のマッサージ器
【発明の詳細な説明】
【０００１】
【産業上の利用分野】本発明は交播磁界を利用して、磁石小片を振動させて、人体各部位に打撃マッサージ効果並びに磁気効果を与えるマッサージ健康具に関する。
【０００２】
【従来の技術】従来のマッサージ健康器具は、モーターの回転力を往復運動に変換してマッサージ効果を得る方式や、ソレノイドの往復力を利用したマッサージ健康具が殆どであり、皮膚表面を引っ掻く様な刺激が患部の一箇所に集中すると云う欠点があった。
又、単なる振動マッサージのみであり、振動により、患部を一時的に刺激するにすぎなかった。
【０００３】
【本発明が解決しようとする課題】一箇所に強い刺激が集中することなく、広範に亘って適度な打撃的刺激を得る事が出来るマッサージ健康具があれば、顔面マッサージや、強い刺激が禁忌となっている患部等にもマッサージする事が可能となる。
【０００４】更にこの打撃刺激伴って磁極変化する磁気マッサージ効果が加わって一層の治療効果が期待出来る。
【０００５】昨今、発毛促進の目的で頭部表皮のマッサージ健康器具が求められているが、従来のマッサージ具では、刺激が強過ぎて頭皮を傷つけたり、脳に影響を与る事が心配があった。
【０００６】また、従来のマッサージ具では、頭皮全面をくまなくマッサージする事が出来ないので、頭部表皮のマッサージには不向きであり、更に単なる振動を与えるだけであるから、頭皮マッサージ具としての効果はあまり期待できなかった。
【０００７】本発明に於いては、マッサージすべき部位表皮全体を適度な力でくまなく、叩く様な打撃刺激を行う事が出来る。そしてこれと同期して磁極変化する磁気マッサージ効果との相乗効果により、従来のマッサージ器では発揮し得ない効果が期待できるのである。
【０００８】
【課題を解決する手段】磁石で作られた小片（以下磁石ペレットと称する）を小室の中に封入し、電磁石からなる交播磁界発生装置から得られる交播磁界に曝して、磁石ペレットを交播周期に同期させて小室の中で上下に往復振動させ、この振動を人体表皮に伝えて打撃的マッサージ効果と磁気マッサージ効果を得るのである。
【実施例】
【０００９】以下、頭頂部をマッサージする本発明について図を使って説明する。図１は頭頂部用ジャケットの斜視図ある。固定バンド１８０を使って人体頭部に装着するジャケット１００は、頭頂部に沿って適合する事が出来る様な、軟質樹脂や皮等の柔軟性のある材料で作られており、円筒状の小室の中に、円筒状の磁石ペレット１５５が一個、この小室内で往復、振動が出来る程度の隙間をもって封入されてなる振動ユニット１５０が多数個、固着されている。
【００１０】この磁石ペレット１５５が振動ユニット１５０の中で、交播磁界に曝されて往復振動するのであるが、この磁極の向きは、図２に示すように、往復方向と同方向であり、ジャケット面（下）がＳ極であり、交播磁界発生装置側（上）がＮ極となっている。
【００１１】図３は本頭頂部用ジャケットを頭頂部に装着して、交播磁界発生装置５００を本発明のジャケット１００の近傍上部に設置した図である。この様な状態において、交播磁界発生装置５００のジャケット１００に面する側の磁極を図４に示す様にＳ極にすると、振動ユニット１５０の中の磁石ペレット１５５は吸引力を受けて上面側に引き付けられる。
【００１２】そして、この状態から図５に示す様に交播磁界発生装置５００の磁極を反転すると、磁石ペレット１５５は反発力を受けて、下方向に反発し、振動ユニット１５０の底面部に衝突する。
【００１３】この様にして、磁極反転を繰り返す事により、磁石ペレット１５５が上下に往復運動して、振動ユニット１５０の底面部への衝突が繰り返される。この衝突の連続により、このジャケット１００の装着面１０５が、装着した頭皮を適度に刺激して打撃的マッサージ効果を得る事が出来るのである。
【００１４】例えば、磁極変化が５０回／毎秒であるの交播磁界を印加すると、磁石ペレットは毎秒５０回、上下に運動して振動ユニット１５０の底面部に衝突し、この底面部が密着したジャケット装着面には５０回／毎秒の打撃的振動がマッサージ効果を得ることが出来のである。
【００１５】本発明に於いては交播磁界発生装置５００の磁気の強さや磁極変化の周期等を可変する事により、マッサージの強さ、周期等を自在にコントロールすることが可能であり、更に振動ユニット１５０の総数や磁石ペレット１５５の磁力の強さを変える事によっても同様にコントロール可能なので、マッサージすべき人体部位に合った適切な刺激強度を微細に且つ自在に調節可能となるのである。
【００１６】図６は振動ユニット１５０の上部に、交播磁界を発生させる交播磁気発生電磁石６００を取り付けてジャケット１００内に一体的にした本発明の例である。この様にすると、交播磁界発生装置を設置しなくても本発明でのマッサージ効果を得ることが出来る。
【００１７】図７はブラシ状を呈する本発明であり、交播磁気発生電磁石６００が取り付けられた振動ユニット１５０がブラシ状に配置されていて握り柄３００を有する。この様にすると、櫛やブラシ使う様な感覚で本発明を使用する事ができる。
【００１８】以上は頭頂部をマッサージする目的の本発明の実施例について説明したが、肩、肘、膝等、人体各部の形状に合わせた形状のジャケット１００に振動ユニット１５０を配置することにより、それぞれ目的の人体部位を広範に亘って適度にコントロール可能な打撃的マッサージ刺激を得る事が出来るマッサージ器を実現出来る。
【００１９】
【発明の効果】上記説明した通り、従来のマッサージ器では実現できなかった、広範囲に亘っての、適度に調節可能な打撃的マッサージと磁気マッサージ効果を人体の任意箇所に与える事が出来るので、本発明による医療効果、治療効果は従来のマッサージ器を大きく凌駕するのである。
【００２０】磁気がヘモグロビンの中核たるヘムに好影響を与えて血流をよくすることは様々な実験で確かめらた周知の事実であり、本発明に於いてはこの磁気マッサージ効果が打撃マッサージ効果にプラスされるので、従来のでは発揮し得ない大きな治療効果が期待できるのである。
【図面の簡単な説明】
【図１】頭頂部用ジャケットの斜視図
【図２】頭頂部用ジャケットの断面図
【図３】体頭部に装着した本発明を交番磁界に曝している図
【図４】磁石ペレットが吸引力を受けている図
【図５】磁石ペレットが反発力を受けている図
【図６】頭頂部用ジャケットに電磁石を一体的に取り付けた図
【図７】ブラシ状を呈する本発明の図
【図８】ブラシ状の本発明を使用している図
【符号の説明】
１００　　ジャケット
１０５　　ジャケット装着面
１５０　　振動ユニット
１５５　　磁石ペレット
１８０　　固定バンド
３００　　握り柄
５００　　交播磁界発生装置
５１０　　コイル
６００　　交播磁気発生電磁石
７００　　ブラシ状を呈する本発明
７１０　　ブラシの握り柄
【図１】
2004049830.tif 000003
【図２】
2004049830.tif 000004
【図３】
2004049830.tif 000005
【図４】
2004049830.tif 000006
【図５】
2004049830.tif 000007
【図６】
2004049830.tif 000008
【図７】
2004049830.tif 000009
【図８】
2004049830.tif 000010